(57)【要約】【課題】本発明の課題は、孔の開いた板を挟むようにして外側の板で前記孔に蓋をするように積層してリッジを作製することにより、軽量化のためのリッジ内部の空洞の作製が容易になり、製造原価の軽減が可能となるリッジホーンアンテナの製造方法を提供することにある。【解決手段】本発明は、ホーンアンテナ本体２１の開口内部にリッジ２２が設けられたリッジホーンアンテナの製造方法において、リッジ２２として、孔２３２，２３３，２３４が加工された内側となる板２２２，２２３，２２４の両側に、外側となる板２２１，２２５を前記孔２３２，２３３，２３４に蓋をするように挟持して一体に形成したリッジを用いてリッジホーンアンテナを作製することを特徴とする。【選択図】図１
2011166698.tif 000002
【特許請求の範囲】
【請求項１】
ホーンアンテナの開口内部にリッジが設けられたリッジホーンアンテナの製造方法において、
リッジとして、孔が加工された内側となる板の両側に、外側となる板を前記孔に蓋をするように挟持して一体に形成したリッジを用いてリッジホーンアンテナを作製することを特徴とするリッジホーンアンテナの製造方法。
【発明の詳細な説明】
【技術分野】
【０００１】
本発明は、ホーンアンテナ開口内部にリッジと呼ばれる凸部を設けることにより、通常のホーンアンテナに比べより広域の周波数帯域にて送受信が可能となるリッジホーンアンテナの製造方法に係り、特にリッジを軽量化したリッジホーンアンテナの製造方法に関する。
【背景技術】
【０００２】
一般に、リッジホーンアンテナは波長に比例（周波数に反比例）してその寸法が大きくなる。
【０００３】
通常のホーンアンテナと違ってリッジホーンアンテナでは開口内部にリッジと呼ばれる板がついており、その厚さと高さも波長に比例して大きく厚くなる。
【０００４】
図２（ａ）は従来のリッジホーンアンテナの一例を示す断面図、図２（ｂ）は従来のリッジホーンアンテナの一例を示す正面図、図２（ｃ）は従来のリッジホーンアンテナの他の例を示す正面図である。
【０００５】
図２（ａ），（ｂ）に示すように、四角の角錐台状の筒体よりなるホーンアンテナ本体１１の開口内部の上下にはそれぞれ対応してリッジ１２が湾曲した凸部状に設けられる。
【０００６】
また、図２（ｃ）に示すように、四角の角錐台状の筒体よりなるホーンアンテナ本体１１の開口内部の上下および左右にはそれぞれ対応してリッジ１２が湾曲した凸部状に設けられる。
【０００７】
すなわち、リッジホーンアンテナは、垂直または水平の１偏波（電界）に沿って対象に開口内の上下または左右に２枚必要な２重リッジホーンアンテナと、垂直および水平の直交する２偏波を送受信する４重リッジホーンアンテナがある。４重リッジホーンアンテナではリッジが上下左右の４枚必要なため、この場合はリッジ部分の質量は４重でさらに重くなる。
【０００８】
地上固定装置のリッジホーンアンテナではあまり問題とならないが、搭載装置など質量に制限がある場所でリッジホーンアンテナを使用する場合、リッジホーンアンテナの質量を少しでも軽くする必要がある。
【０００９】
また、リッジホーンアンテナの場合、送受信する周波数が低くなり各寸法が大きくなるにつれ、リッジ部分の質量が全体の質量中に占める比率が高くなる。
【００１０】
その為、リッジ部分の質量を軽量化することは、全体の軽量化を図る上で大きな効果がある。
【００１１】
図３（ａ）は従来のリッジホーンアンテナを示す断面図、図３（ｂ）は従来のリッジホーンアンテナのリッジを示す側面図、図３（ｃ）は従来のリッジホーンアンテナのリッジを示す断面図である。
【００１２】
図３（ａ）に示すように、四角の角錐台状の筒体よりなるホーンアンテナ本体１１の開口内部の上下にはそれぞれ対応してリッジ１２が湾曲した凸部状に設けられる。
【００１３】
前記リッジ１２は図３（ｂ），（ｃ）に示すように、リッジ１２の底面側から機械加工により掘削され、複数の穴１３が開けられる。
【００１４】
従来、リッジホーンアンテナの場合、表皮効果によりリッジの表面の非常に薄い部分のみに電流が流れるため、その内部は空洞でもまったく問題がない。
【００１５】
従来のリッジホーンアンテナでリッジ部分の質量を軽量化するには、リッジを中空にする必要があり、リッジの底面側から機械加工により掘削（穴を開けてゆく）方法が一般的であるが、この方法は寸法が大きくなるにつれその掘削作業が技術的に難しくなる。
【００１６】
また、リッジにはホーンアンテナ本体との接合に必要なネジ等の固定部分を設ける必要があるためリッジ内部全てを掘削することが出来ない。
【先行技術文献】
【特許文献】
【００１７】
【特許文献１】特開２０００−２６１２３２号公報
【発明の概要】
【発明が解決しようとする課題】
【００１８】
本発明は上記の事情に鑑みてなされたもので、孔の開いた板を挟むようにして外側の板で前記孔に蓋をするように積層してリッジを作製することにより、軽量化のためのリッジ内部の空洞の作製が容易になり、製造原価の軽減が可能となるリッジホーンアンテナの製造方法を提供することを目的とする。
【課題を解決するための手段】
【００１９】
上記目的を達成するために本発明は、ホーンアンテナの開口内部にリッジが設けられたリッジホーンアンテナの製造方法において、リッジとして、孔が加工された内側となる板の両側に、外側となる板を前記孔に蓋をするように挟持して一体に形成したリッジを用いてリッジホーンアンテナを作製することを特徴とする。
【発明の効果】
【００２０】
本発明のリッジホーンアンテナの製造方法は、孔の開いた板を挟むようにして外側の板で前記孔に蓋をするように積層し、複数枚の薄い板を重ねてリッジを作製することにより、外観は全方位閉じたブロックで内部の空洞の作製が容易になり、軽量化できると共に製造原価の軽減が可能となる。
【図面の簡単な説明】
【００２１】
【図１】（ａ）は本発明の実施形態に係るリッジホーンアンテナを示す断面図、（ｂ）は本発明の実施形態に係るリッジホーンアンテナを示す正面図、（ｃ）は本発明の実施形態に係るリッジホーンアンテナのリッジを示す分解斜視図、（ｄ）は本発明の実施形態に係るリッジホーンアンテナのリッジを示す拡大断面図である。
【図２】（ａ）は従来のリッジホーンアンテナの一例を示す断面図、（ｂ）は従来のリッジホーンアンテナの一例を示す正面図、（ｃ）は従来のリッジホーンアンテナの他の例を示す正面図である。
【図３】（ａ）は従来のリッジホーンアンテナを示す断面図、（ｂ）は従来のリッジホーンアンテナのリッジを示す側面図、（ｃ）は従来のリッジホーンアンテナのリッジを示す断面図である。
【発明を実施するための形態】
【００２２】
以下図面を参照して本発明の実施の形態を詳細に説明する。
【００２３】
図１（ａ）は本発明の実施形態に係るリッジホーンアンテナを示す断面図、図１（ｂ）は本発明の実施形態に係るリッジホーンアンテナを示す正面図、図１（ｃ）は本発明の実施形態に係るリッジホーンアンテナのリッジを示す分解斜視図、図１（ｄ）は本発明の実施形態に係るリッジホーンアンテナのリッジを示す拡大断面図である。
【００２４】
図１（ａ），（ｂ）に示すように、四角の角錐台状の筒体よりなるホーンアンテナ本体２１の開口内部の上下にはそれぞれ対応してリッジ２２が湾曲した凸部状に設けられる。
【００２５】
尚、四角の角錐台状の筒体よりなるホーンアンテナ本体の開口内部の左右にそれぞれ対応してリッジを湾曲した凸部状に設けてもよく、また、四角の角錐台状の筒体よりなるホーンアンテナ本体の開口内部の上下および左右にそれぞれ対応してリッジを湾曲した凸部状に設けてもよい。
【００２６】
すなわち、リッジホーンアンテナは、垂直または水平の１偏波（電界）に沿って対象に開口内の上下または左右に２枚必要な２重リッジホーンアンテナと、垂直および水平の直交する２偏波を送受信する４重リッジホーンアンテナがある。４重リッジホーンアンテナではリッジが上下左右の４枚必要となる。
【００２７】
図１（ｃ），（ｄ）に示すように、前記リッジ２２は複数枚例えば５枚の薄い板（例えば鉄板）２２１，２２２，２２３，２２４，２２５を積層するように重ねることにより作製される。この場合、内側になる板２２２，２２３，２２４にはそれぞれ細長い孔２３２，２３３，２３４が加工され、内側になる板２２２，２２３，２２４を積層した両側には外側の板２２１，２２５が孔２３２，２３３，２３４に蓋をするように挟持して一体に形成される。したがって、リッジ２２は外観が全方位閉じたブロックで内部を空洞に作製することが容易となり、軽量化にできると共に製造原価の軽減が可能となる。また、リッジ２２をホーンアンテナ本体２１に取付けるのに必要であったネジ等の固定部分もリッジ２２のホーンアンテナ本体２１との設置面を残したままリッジ２２の内部を空洞と出来る。以上のように作製したリッジ２２をホーンアンテナ本体２１にネジ等で固定することにより、リッジホーンアンテナを製造する。
【００２８】
尚、リッジ２２は薄板を複数枚重ねることにより板間に微小な誤差や隙間が出来る場合もあるが、表面の誤差は最後に表面を研磨することにより改善が可能であるし、隙間についても軽量化が必要となるのは周波数の低い領域で使用される、形状の大きなリッジホーンアンテナであり、周波数が低ければその隙間は波長に比べて十分小さい値となり無視できる。
【００２９】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００３０】
２１…ホーンアンテナ本体、２２…リッジ、２２１，２２２，２２３，２２４，２２５…板、２３２，２３３，２３４…孔。
【図１】
2011166698.tif 000003
【図２】
2011166698.tif 000004
【図３】
2011166698.tif 000005